(57)【特許請求の範囲】
【請求項１】
排気管側の取付位置に取り付けられるインナ取付部材を、車体側の取付位置に取り付けられるアウタ取付部材に設けられた一対の対向板部間に配設して、該インナ取付部材から該一対の対向板部に向かって両側に延びる一対のゴム弾性体を設けると共に、該インナ取付部材の外周面と該アウタ取付部材における該一対の対向板部の対向面とにそれぞれ該ゴム弾性体を固着せしめたマフラーサポートにおいて、
前記一対のゴム弾性体の弾性主軸が平面視においてそれぞれ前記一対の対向板部の対向方向に対して傾斜されていることにより、前記インナ取付部材が該対向板部に対して接近および離隔せしめられる変位方向が該ゴム弾性体の弾性主軸に対して傾斜した方向となる傾斜部分が該一対のゴム弾性体にそれぞれ設けられており、該インナ取付部材の該対向板部に対する接近および離隔方向への変位に際して該一対のゴム弾性体における該傾斜部分が剪断成分をもって弾性変形せしめられることを特徴とするマフラーサポート。
【請求項２】
前記インナ取付部材が直線的に延びる軸形状とされている一方、前記アウタ取付部材が底板部の両側に一対の側板部が一体形成された溝形状とされており、
該アウタ取付部材の溝部内を溝方向に延びる状態で該インナ取付部材が配設されて、該インナ取付部材から前記一対の対向板部としての該一対の側板部に向かって両側に延びる前記一対のゴム弾性体により該インナ取付部材と該アウタ取付部材とが弾性連結されている請求項１に記載のマフラーサポート。
【請求項３】
前記一対のゴム弾性体において、それぞれ、前記一対の対向板部の対向方向への直交方向で互いに反対向きに傾斜して対を為す反対傾斜部を設けた請求項１又は２に記載のマフラーサポート。
【請求項４】
互いに反対向きに傾斜して対を為す前記反対傾斜部が、前記排気管の支持荷重入力方向で互いに離隔して且つ該支持荷重入力方向の投影で少なくとも一部が重なる状態で設けられている請求項３に記載のマフラーサポート。
【請求項５】
前記インナ取付部材から前記一対の対向板部に向かって両側に延びる前記一対のゴム弾性体が、それぞれ、該インナ取付部材と該対向板部との間の全長に亘って前記傾斜部分とされている請求項１〜４の何れか１項に記載のマフラーサポート。
【発明の詳細な説明】
【技術分野】
【０００１】
本発明は、自動車の排気管を車体に対して防振支持せしめるマフラーサポートに係り、特にマフラーサポートの防振性能や耐久性を損なうことなく装着作業を容易に行うことを可能にした新規構造のマフラーサポートに関する。
【背景技術】
【０００２】
従来から、排気管の車体への支持部位には、マフラーサポートが用いられている。マフラーサポートとしてゴム単品で形成された吊り下げタイプもあるが、かかるゴム単品のマフラーサポートでは、排気管の他部品への干渉を避けるために排気管の変位量を確実に制限することが難しい。そこで、例えば、特開２００５−２９６３号公報（特許文献１）に示されているように、車体に取り付けられる溝形取付金具の溝内に、排気管に取り付けられる取付軸金具を挿通配置させて、取付軸金具を溝形取付金具の両側壁に対して一対のゴム弾性体で連結せしめた構造のマフラーサポートが提案されている。
【０００３】
ところで、マフラーサポートには、充分な耐久性を確保しつつ、排気管の振動絶縁のために一般の防振マウント等に比して柔らかいばね特性を確保することが要求される。そこで、上記特許文献１にも示されているように、ゴムボリュームを確保して耐久性を維持しつつ、排気管の振動入力方向となる上下方向で柔らかいばね特性を実現するために、取付軸金具を挟んだ両側で溝形取付金具の両側壁に向かって略水平方向に延びる一対のゴム弾性体が採用されており、このゴム弾性体における排気管の振動入力方向の主たる変形が剪断変形となるようにされている。
【０００４】
一方、排気管は長尺で車体のフロントからリヤまで延びていることから、自動車の各部品や組付けのばらつきに起因して、マフラーサポートにおける排気管側の取付位置と車体側の取付位置とが相互に位置ずれし易い。それ故、マフラーサポートには、そのような取付位置のずれがあった場合でも、大きな支障なく良好な作業性をもって装着できることが要求される。
【０００５】
ところが、上述の特許文献１に記載の如き従来構造のマフラーサポートでは、柔らかいばね特性を実現するために採用された略水平方向に延びるゴム弾性体が、取付軸金具の溝形取付金具に対する水平方向の相対変位に際して圧縮／引張変形することになる。そのために、取付軸金具の排気管側への取付位置と溝形取付金具の車体側への取付位置とにずれが生じた場合に、取付軸金具を溝形取付金具に対して相対変位させて排気管側と車体側との各取付位置に取り付けるに際して、それら取付軸金具と溝形取付金具との間でゴム弾性体が圧縮／引張変形することとなって大きな変形剛性のために装着作業が非常に困難になっていたのである。
【先行技術文献】
【特許文献】
【０００６】
【特許文献１】特開２００５−２９６３号公報
【発明の概要】
【発明が解決しようとする課題】
【０００７】
ここにおいて、本発明は上述の如き事情を背景として為されたものであり、その解決課題とするところは、ゴム材料自体の低ばね化やゴムボリュームの減少による耐久性の低下の問題および振動入力方向のばね特性の高ばね化による防振性能の低下の問題を伴うことなく、装着時における排気管側と車体側との各取付位置の相対的な寸法ばらつきに起因する装着作業の困難さを効果的に軽減せしめ得る、新規な構造のマフラーサポートを提供することにある。
【課題を解決するための手段】
【０００８】
すなわち、本発明の第一の態様は、排気管側の取付位置に取り付けられるインナ取付部材を、車体側の取付位置に取り付けられるアウタ取付部材に設けられた一対の対向板部間に配設して、該インナ取付部材から該一対の対向板部に向かって両側に延びる一対のゴム弾性体を設けると共に、該インナ取付部材の外周面と該アウタ取付部材における該一対の対向板部の対向面とにそれぞれ該ゴム弾性体を固着せしめたマフラーサポートにおいて、前記一対のゴム弾性体の弾性主軸が平面視においてそれぞれ前記一対の対向板部の対向方向に対して傾斜されていることにより、前記インナ取付部材が該対向板部に対して接近および離隔せしめられる変位方向が該ゴム弾性体の弾性主軸に対して傾斜した方向となる傾斜部分が該一対のゴム弾性体にそれぞれ設けられており、該インナ取付部材の該対向板部に対する接近および離隔方向への変位に際して該一対のゴム弾性体における該傾斜部分が剪断成分をもって弾性変形せしめられるマフラーサポートを、特徴とする。
【０００９】
本態様のマフラーサポートでは、排気間側と車体側との各取付板の相対的な寸法ばらつきに起因して、インナ取付部材とアウタ取付部材とを相対変位させなければならない装着時において、インナ取付部材をアウタ取付部材に対して装着時の水平方向で例えば一対の対向板部の対向方向やその直交方向に相対変位させた場合に、何れも、一対のゴム弾性体は剪断成分をもって弾性変形することとなる。それ故、剪断変形に基づく柔らかいばね特性に基づいて、インナ取付部材とアウタ取付部材とにおける排気管側と車体側への取付位置を相対的に調節することが容易となる。従って、部品寸法誤差や組付誤差等による車両毎の個体差により、マフラーサポートの排気管側への取付位置と車体側への取付位置とが相対的にずれている場合でも、マフラーサポートのインナ取付部材とアウタ取付部材をそれら各取付位置に対して容易に取り付けることができて、優れた作業性をもってマフラーサポートを車両に対して装着することが可能となる。
【００１０】
しかも、振動入力方向においても、一対の対向板部の対向方向に直交する鉛直上下方向でインナ取付部材がアウタ取付部材に対して相対変位するに際して、一対のゴム弾性体には主として剪断変形が生ぜしめられることとなる。それ故、入力振動に対して、一対のゴム弾性体における低ばね特性により優れた振動絶縁効果が発揮され得る。
【００１１】
加えて、排気管の支持荷重入力方向でもある振動入力方向では、上述のとおり一対のゴム弾性体に主として剪断変形が生ぜしめられるものであることから、低ばね特性による防振性能を損なうことなく一対のゴム弾性体のゴムボリュームを充分に確保することが可能となる。これにより、優れた防振性能を確保しつつ、排気管の防振支持機能を充分な耐久性をもって実現することができるのである。
【００１２】
本発明の第二の態様は、前記第一の態様に係るマフラーサポートにおいて、更に、前記インナ取付部材が直線的に延びる軸形状とされている一方、前記アウタ取付部材が底板部の両側に一対の側板部が一体形成された溝形状とされており、該アウタ取付部材の溝部内を溝方向に延びる状態で該インナ取付部材が配設されて、該インナ取付部材から前記一対の対向板部としての該一対の側板部に向かって両側に延びる前記一対のゴム弾性体により該インナ取付部材と該アウタ取付部材とが弾性連結されている構造とされたものである。
【００１３】
本態様のマフラーサポートでは、インナ取付部材が軸形状とされて軸方向長さが確保されることにより、インナ取付部材と一対の対向板部との対向面間を弾性連結するゴム弾性体の傾斜部分を、インナ取付部材の軸方向に向かって一層大きく傾斜させることが出来る。その結果、インナ取付部材が一対の対向板部に対して軸直角方向で接近／離隔せしめられる変位方向におけるゴム弾性体の剪断成分を一層大きく設定して、そのばね特性をより柔らかくすることで、装着作業性の更なる向上を図ることが可能となる。
【００１４】
本発明の第三の態様は、前記第一又は第二の態様に係るマフラーサポートであって、更に、前記一対のゴム弾性体において、それぞれ、前記一対の対向板部の対向方向への直交方向で互いに反対向きに傾斜して対を為す反対傾斜部を設けたものである。
【００１５】
本態様のマフラーサポートでは、インナ取付部材とアウタ取付部材との間に荷重が及ぼされてそれら両取付部材が相対変位せしめられた際に、ゴム弾性体に傾斜部分を設けることに伴って、ゴム弾性体の弾性反力としてインナ取付部材とアウタ取付部材との間に及ぼされるおそれのあるこじり方向の力が、反対傾斜部の相殺作用で効果的に軽減され得る。それ故、例えば略鉛直方向に入力される排気管の支持荷重や振動荷重、略水平方向に入力される装着時の排気管側と車体側との相対位置ずれに起因する取付荷重などがインナ取付部材とアウタ取付部材との間に及ぼされた場合でも、インナ取付部材やアウタ取付部材における排気管や車体への取付部の方向が維持されて排気管や車体へのこじり方向の力の作用が抑えられて目的とする防振効果が安定して発揮されると共に、ゴム弾性体における歪の集中等の問題も緩和され得る。
【００１６】
特に、反対傾斜部は、協働して、要求される排気管の支持荷重や防振荷重を分担することから、反対傾斜部の合計ボリュームとしては、単一方向の傾斜部分を設けた本発明のマフラーサポートのゴム弾性体や、特許文献１に記載の如き従来構造の傾斜部分を有しないマフラーサポートにおけるゴム弾性体と比しても、略同じボリュームで防振性能や耐久性の要求特性を達成することが出来、著しく大型化することも無いのである。
【００１７】
本発明の第四の態様は、前記第三の態様に係るマフラーサポートにおいて、更に、互いに反対向きに傾斜して対を為す前記反対傾斜部が、前記排気管の支持荷重入力方向で互いに離隔して且つ該支持荷重入力方向の投影で少なくとも一部が重なる状態で設けられている構造を、採用したものである。
【００１８】
本態様のマフラーサポートでは、反対傾斜部を排気管の支持荷重入力方向となる装着状態での略鉛直方向で上下に位置するように設けたことにより、マフラーサポートの部品サイズを、水平方向においてコンパクト化することが出来る。また、前述のとおり反対傾斜部は協働して排気管の支持荷重や防振荷重を分担し得ることから、本態様のマフラーサポートは、鉛直方向においても、従来構造のマフラーサポートに比して著しく大形化することが無い。
【００１９】
本発明の第五の態様は、前記第一〜四の何れか一の態様に係るマフラーサポートにおいて、更に、前記インナ取付部材から前記一対の対向板部に向かって両側に延びる前記一対のゴム弾性体が、それぞれ、該インナ取付部材と該対向板部との間の全長に亘って前記傾斜部分とされている構造を、採用したものである。
【００２０】
本態様のマフラーサポートでは、ゴム弾性体の全体ボリュームに対して傾斜部分のボリュームを大きく確保できることから、かかる傾斜部分による前述の如き本発明の作用効果が、一層効果的に発揮され得る。
【発明の効果】
【００２１】
本発明に従う構造とされたマフラーサポートでは、インナ取付部材とアウタ取付部材を連結するゴム弾性体に特定の傾斜部分を設けたことにより、排気管の支持荷重や振動荷重の主たる入力方向となる鉛直方向だけでなく、水平方向となる前後方向や左右方向においても、かかるゴム弾性体に剪断成分が有効に生ぜしめられて、柔らかいばね特性が発揮される。それ故、車両上下方向の振動に対して発揮される低ばね特性による優れた防振性能と、低ばね特性を維持しつつ確保され得るゴムボリュームによる優れた耐久性能とが、何れも発揮されると共に、インナ取付部材とアウタ取付部材との水平方向での相対変位が低ばね剛性下で容易に許容されることにより、排気管側と車体側との各取付位置の相対的な寸法ばらつきに対応した装着作業性の向上が、効果的に達成され得るのである。
【図面の簡単な説明】
【００２２】
【図１】本発明の第一実施形態としてのマフラーサポートの正面図。
【図２】図１に示されたマフラーサポートの平面図。
【図３】図１の右側面図。
【図４】本発明の第二実施形態としてのマフラーサポートの平面図。
【図５】本発明の第三実施形態としてのマフラーサポートの平面図。
【図６】本発明の第四実施形態としてのマフラーサポートの正面図。
【図７】図６に示されたマフラーサポートの平面図。
【発明を実施するための形態】
【００２３】
以下、本発明の実施形態について、図面を参照しつつ説明する。
【００２４】
図１〜３には、本発明の第一実施形態としてのマフラーサポート１０が示されている。このマフラーサポート１０は、インナ取付部材１２とアウタ取付部材１４とが、一対のゴム弾性体１６，１６で弾性連結された構造を有している。そして、インナ取付部材１２が排気管１８に対して固定的に取り付けられる一方、アウタ取付部材１４が車両の車体２０に対して固定的に取り付けられることにより、排気管１８の長さ方向中間部分を車体２０に対して防振支持するようになっている。
【００２５】
なお、以下の説明において、上下方向とは、原則として、車両装着状態において略鉛直上下方向となる図１中の上下方向を言う。また、車両装着状態で何れも略水平方向となる、図１中の左右方向を左右方向と言うと共に、図１の紙面に垂直な方向を前後方向という。実際の車両装着状態では、かかる説明中の左右方向と前後方向の何れが、車両左右方向または車両前後方向であっても良いし、更に排気管の支持位置や装着スペース等によって、車両左右方向や前後方向に対して傾斜した斜め方向であっても良い。
【００２６】
また、自動車への装着状態では、インナ取付部材１２とアウタ取付部材１４との間に、排気管１８の分担支持荷重が及ぼされる。それにより、ゴム弾性体１６，１６が弾性変形せしめられて、インナ取付部材１２がアウタ取付部材１４に対して下方に所定量だけ相対変位して位置せしめられることとなる。
【００２７】
より詳細には、インナ軸部材１２は、装着状態で前後方向に向かって一定断面形状で直線的に延びる軸形状の金具であり、中心軸上には軸方向に貫通して延びる取付孔２２が形成されている。インナ軸部材１２の外周面は、両側上部が上下に延びる略平行面２４，２４とされている一方、両側下部が下方に向かって次第に幅寸法が小さくなる下向きの傾斜面２６，２６とされている。また、インナ軸部材１２の取付孔２２には、軸方向に延びる凹凸が付されており、全体として花びら型の断面形状とされている。
【００２８】
そして、図１中に仮想線で示されているように、排気管１８に固着された鉤形（逆Ｌ字形）の取付軸２８が、インナ軸部材１２の取付孔２２に嵌め入れられ、必要に応じてボルト等で固定されることによって取り付けられている。なお、取付軸２８の外周面には、取付孔２２の内周面に対応した凹凸が付されており、インナ軸部材１２に対する取付軸２８の中心軸回りの回転が阻止されるようになっている。
【００２９】
一方、アウタ取付部材１４は、帯板形状の金具をプレス加工すること等によって形成されたものであり、左右方向に延びる平坦な底板部３０の長さ方向両側にそれぞれ上方に向かって立ち上がる一対の対向板部としての左右一対の側板部３２，３２が一体形成された溝形状とされている。なお、底板部３０と側板部３２，３２は、インナ軸部材１２の軸方向長さと略同じ略一定の幅寸法で延びている。また、底板部３０および両側板部３２，３２には、幅方向中央部分を略全長に亘って延びる補強リブ３４が設けられている。更にまた、一対の側板部３２，３２の上側部分３２ａ，３２ａが、上下に略平行に延びており、インナ軸部材１２の平行面２４，２４に対して対向位置せしめられている。一方、一対の側板部３２，３２の下側部分３２ｂ，３２ｂは、下方に向かって次第に対向距離が狭くなるように傾斜しており、インナ軸部材１２の傾斜面２６，２６に対して対向位置せしめられている。
【００３０】
また、アウタ取付部材１４には、両側板部３２，３２の各上端縁部から相互に離隔する外方に向かって水平に広がる取付板部３６，３６が一体形成されている。これら取付板部３６，３６には、各中央部分にボルト孔３８，３８が設けられており、図示しない固定ボルトがボルト孔３８に挿通されて車体２０に螺合されることにより、両側板部３２，３２が車体２０に対してボルト固定されて取り付けられるようになっている。なお、各側板部３２と取付板部３６との間には、幅方向両側縁部間に跨がって延びる補強片４０，４０が一体形成されている。
【００３１】
そして、前後方向に延びる溝形状とされたアウタ取付部材１４に対して、かかる溝部内の幅方向中央部分で底部から所定距離だけ上方に離れた位置を前後方向に延びる状態でインナ取付部材１２が配設されている。更に、インナ取付部材１２を軸直角方向に挟んだ左右両側には、一対のゴム弾性体１６，１６が配設されており、インナ取付部材１２の左右両側面とアウタ取付部材１４の左右両側板部３２，３２との各対向面が、かかる一対のゴム弾性体１６，１６で弾性連結されている。
【００３２】
本実施形態のゴム弾性体１６は、図１中の上下方向となる厚さ方向で互いに所定の空間４１を隔てて独立状態で配設された上側ゴム弾性体１６ａおよび下側ゴム弾性体１６ｂから構成されている。これら上側ゴム弾性体１６ａと下側ゴム弾性体１６ｂは、互いに同じゴム材料で一体成形されており、何れも、インナ取付部材１２とアウタ取付部材１４とに固着されており、それらインナ取付部材１２とアウタ取付部材１４を含むゴム弾性体１６，１６の一体加硫成形品として、本実施形態のマフラーサポート１０が構成されている。
【００３３】
また、上側ゴム弾性体１６ａは、インナ取付部材１２の平行面２４とアウタ取付部材１４の側板部３２の上側部分３２ａとの対向面間に跨がって配設されている一方、下側ゴム弾性体１６ｂは、インナ取付部材１２の傾斜面２６とアウタ取付部材１４の側板部３２の下側部分３２ｂとの対向面間に跨がって配設されている。更に、これら上側ゴム弾性体１６ａと下側ゴム弾性体１６ｂは、ゴムボリュームが相互に略同じに設定されている。
【００３４】
更にまた、図１に示されているように前後方向の正面視では、上側ゴム弾性体１６ａと下側ゴム弾性体１６ｂが互いに略同一形状とされており、且つ互いに平行に延びる直線的な弾性主軸をもってインナ取付部材１２とアウタ取付部材１４との対向面間に延びている。特に本実施形態では、上側ゴム弾性体１６ａと下側ゴム弾性体１６ｂの何れも、インナ取付部材１２からアウタ取付部材１４の側板部３２，３２に向かって下方に傾斜する弾性主軸をもって設けられている。
【００３５】
一方、図２に示されているように上下方向の平面視では、上側ゴム弾性体１６ａと下側ゴム弾性体１６ｂとが、互いに幅寸法は略同じであるものの、インナ取付部材１２の軸方向となる前後方向において互いに反対側に向かって、交差するように各直線的に延びる弾性主軸をもって、インナ取付部材１２とアウタ取付部材１４との対向面間に延びている。
【００３６】
なお、インナ取付部材１２を軸直角方向に挟んだ左右両側の一対の上側ゴム弾性体１６ａ，１６ａは、インナ取付部材１２から左右両側の側板部３２，３２に対して何れも車両前後方向の一方の側に向かって延びる方向に傾斜している。一方、インナ取付部材１２を軸直角方向に挟んだ左右両側の一対の下側ゴム弾性体１６ｂ，１６ｂは、インナ取付部材１２から左右両側の側板部３２，３２に対して何れも車両前後方向の他方の側に向かって延びる方向に傾斜している。
【００３７】
特に本実施形態では、上側ゴム弾性体１６ａと下側ゴム弾性体１６ｂとの各固着位置の前後方向ずれ量が、アウタ取付部材１４よりインナ取付部材１２において大きくされている。これにより、インナ取付部材１２に対するゴム弾性体１６の固着面が軸方向に大きく設定されており、インナ取付部材１２の上下方向への傾斜変位（こじり方向変位）に対して、ゴム弾性体１６によるばね剛性が一層効果的に発揮されるようになっている。
【００３８】
このような構造とされたマフラーサポート１０は、その装着状態下、インナ取付部材１２とアウタ取付部材１４との間へ、排気管１８の分担支持荷重が上下方向に及ぼされる。そして、かかる分担荷重でゴム弾性体１６，１６が弾性変形することにより、インナ取付部材１２がアウタ取付部材１４に対して下方に所定量だけ相対変位して位置せしめられることとなり、図１中、インナ取付部材１２は、アウタ取付部材１４の凹溝内の略中央に位置するようにされている。
【００３９】
そして、かかる状態下、防振すべき主たる振動が上下方向に及ぼされると、一対のゴム弾性体１６，１６を構成する上下各一対の上側ゴム弾性体１６ａ，１６ａと下側ゴム弾性体１６ｂ，１６ｂとの弾性変形に基づいて、インナ取付部材１２がアウタ取付部材１４に対して弾性変位せしめられて、目的とする防振効果が発揮されることとなる。また、かかる振動入力に際して、一対のゴム弾性体１６，１６を構成する上下各一対の上側ゴム弾性体１６ａ，１６ａと下側ゴム弾性体１６ｂ，１６ｂは、実質的に剪断変形せしめられることから、柔らかいばね特性が発揮されて、優れた振動絶縁効果を得ることができるのである。
【００４０】
さらに、自動車では、排気管１８や車体２０の各種構成部材における寸法誤差や組付誤差の重畳に起因して、マフラーサポート１０の装着部位における排気管１８と車体２０の固定用ねじ穴との間に相対的な位置ずれが発生し易い。かかる位置ずれには、マフラーサポート１０の装着時にインナ取付部材１２とアウタ取付部材１４を相対変位させて、それらインナ取付部材１２とアウタ取付部材１４を排気管１８と車体２０とに各々取り付けることによって対応することとなる。
【００４１】
その際、上述の構造とされたマフラーサポート１０では、ゴム弾性体１６を構成する上下のゴム弾性体１６ａ，１６ｂが平面視で傾斜部分を備えていることから、インナ取付部材１２とアウタ取付部材１４を鉛直上下方向だけでなく水平直交方向となる前後方向や左右方向への相対変位までも、ゴム弾性体１６，１６が剪断成分をもって弾性変形せしめられることとなる。それ故、前後方向や左右方向に向けて、インナ取付部材１２とアウタ取付部材１４を相対変位させることが、ゴム弾性体１６，１６の小さいばね剛性のもとで容易に許容され得ることとなり、排気管１８と車体２０の固定用ねじ穴との相対的な位置ずれに対処してマフラーサポート１０を自動車に対して良好な作業性をもって装着することが可能となるのである。
【００４２】
加えて、本実施形態のマフラーサポート１０では、上下のゴム弾性体１６ａ，１６ｂが平面視において一対の対向板部の対向方向への直交方向である前後方向で互いに反対向きに傾斜して対を為す反対傾斜部を備えていることから、上下方向や前後方向，左右方向の荷重がインナ取付部材１２とアウタ取付部材１４との間に及ぼされた際のそれら両取付部材１２，１４間におけるこじり方向の相対変位が、相殺的に抑えられる。特に、本実施形態では、上下のゴム弾性体１６ａ，１６ｂが略同じゴムボリュームで且つ左右方向線を挟んで相互に対称的に形成されていることから、荷重入力時におけるこじり方向変位の相殺効果が一層効果的に発揮される。これにより、排気管１８の支持の際や排気管１８と車体２０の固定用ねじ穴との相対的な位置ずれに対処する際にインナ取付部材１２とアウタ取付部材１４とが相対変位せしめられた際にも、排気管１８へのこじり方向の外力作用が回避されると共に、ゴム弾性体１６における応力集中も軽減され得る。
【００４３】
さらに、上述のとおり、本実施形態のマフラーサポート１０においては、排気管１８の振動入力方向となる上下方向だけでなく、排気管１８の支持の際や排気管１８と車体２０の固定用ねじ穴との相対的な位置ずれに対処する際の外力が及ぼされる前後方向や左右方向において、変位せしめられた際にも、ゴム弾性体１６，１６の弾性変形が剪断成分をもって生ぜしめられることから、それら各方向に要求される低ばね特性を達成しつつ、ゴムボリュームを充分に確保することができるのであり、その結果、優れた耐久性も実現され得るのである。
【００４４】
更にまた、本実施形態のマフラーサポート１０は、インナ取付部材１４が軸形状とされて軸方向長さが確保されることにより、インナ取付部材１４と一対の側板部３２，３２との対向面間を弾性連結するゴム弾性体１６，１６の傾斜部分を、インナ取付部材１４の軸方向に向かって一層大きく傾斜させることが出来る。それ故、インナ取付部材１４が一対の側板部３２，３２に対して軸直角方向で接近／離隔変位せしめられる左右方向におけるゴム弾性体の剪断成分を一層大きく設定して、そのばね特性をより柔らかくすることで、装着作業性の更なる向上を図ることが可能となる。
【００４５】
次に、上述の第一の実施形態のマフラーサポート１０において、その一対のゴム弾性体１６，１６として採用され得る他の具体例を、第二〜四の実施形態として以下に示す。なお、以下の実施形態において、第一の実施形態と同様な構造とされた各部材および部位には、それぞれ、第一の実施形態と同一の符号を付することにより詳細な説明を省略する。また、以下の各実施形態に示されたマフラーサポートは、改めて記載しないが、第一の実施形態と同様な作用効果を発揮し得るものである。
【００４６】
図４に示された第二の実施形態のマフラーサポート４２および図５に示された第三の実施形態のマフラーサポート４４は、何れも、第一の実施形態のマフラーサポート１０に比して、一対のゴム弾性体１６，１６を構成する上側ゴム弾性体１６ａおよび下側ゴム弾性体１６ｂに関し、それらの平面視の形状の別例を示すものである。
【００４７】
先ず、図４に示された第二の実施形態において、マフラーサポート４２の上下のゴム弾性体１６ａ，１６ｂは、インナ取付部材１２とアウタ取付部材１４との対向面間に延びる長さ方向において、インナ取付部材１２側とアウタ取付部材１４側との両端部分が、それぞれ、インナ取付部材１２の軸直角方向で直線的に延びる非傾斜部分４６，４８とされている。そして、これら非傾斜部分４６，４８間に位置せしめられた、上下のゴム弾性体１６ａ，１６ｂにおける長さ方向の中間部分が、前後方向（図４中の上下方向）で互いに反対側に向かって略同じ角度で傾斜して延びる傾斜部分５０，５０とされている。なお、本実施形態においては、上下のゴム弾性体１６ａ，１６ｂにおける傾斜部分５０，５０が対を為して反対傾斜部を構成している。
【００４８】
このように、傾斜部分５０の長さを、上下のゴム弾性体１６ａ，１６ｂの長さ方向で適当な大きさに調節することにより、インナ取付部材１２とアウタ取付部材１４の左右方向での相対変位に対してゴム弾性体１６，１６に及ぼされる剪断成分の大きさ延いてはゴム弾性体１６，１６によって発揮される左右方向のばね特性を、ゴム弾性体１６，１６のゴムボリュームや鉛直方向のばね特性を略一定に保ちつつ、変更チューニングすることが可能となる。
【００４９】
また、図５に示された第三の実施形態において、マフラーサポート４４の上下のゴム弾性体１６ａ，１６ｂは、何れも、インナ取付部材１２とアウタ取付部材１４との対向面間に延びる長さ方向において、前後方向（図５中の上下方向）で略円弧形状に湾曲しており、かかる湾曲により傾斜部分が構成されている。特に本実施形態では、上下のゴム弾性体１６ａ，１６ｂが、何れも、略一定の断面形状（幅寸法）で長さ方向の全長に亘って湾曲して延びていることにより、その全長が湾曲部分とされている。なお、長さ方向の中央部分に位置する変曲点を挟んだ両側（インナ取付部材１２側およびアウタ取付部材１４側）に、互いに前後方向で反対側に傾斜した傾斜部分を構成することも可能である。なお、本実施形態においても、上下のゴム弾性体１６ａ，１６ｂにおける傾斜部分が対を為して反対傾斜部を構成している。
【００５０】
更にまた、本実施形態のマフラーサポート４４では、上側ゴム弾性体１６ａと下側ゴム弾性体１６ｂとにおいて、その湾曲方向が前後方向で互いに反対向きとなるように設定されている。これにより、左右方向や前後方向等の荷重入力時に、ゴム弾性体１６，１６の弾性反力としてインナ取付部材１２とアウタ取付部材１４との間に及ぼされるこじり方向の力成分が一層効果的に相殺軽減され得る。
【００５１】
さらに、図６〜７には、本発明の第四の実施形態としてのマフラーサポート５２が示されている。本実施形態のマフラーサポートも、第一の実施形態に比してゴム弾性体１６，１６の別態様を示すものであり、第一の実施形態と同様な構造とされた部材および部位に対しては、それぞれ、第一の実施形態と同一の符号を付して詳細な説明を省略する。
【００５２】
本実施形態のマフラーサポート５２では、インナ取付部材１２とアウタ取付部材１４とを連結する一対のゴム弾性体１６，１６が、それぞれ、インナ取付部材１２の軸方向となる前後方向において互いに反対側に向かって傾斜して延びる第一のゴム弾性体１６ａと第二のゴム弾性体１６ｂとによって構成されている。特に本実施形態では、これら第一のゴム弾性体１６ａと第二のゴム弾性体１６ｂが、アウタ取付部材１４の前後方向中央部分からインナ取付部材１２に向かって、インナ取付部材１２の軸方向両側に向かって相互に開くようにしてそれぞれ直線的に傾斜して延びている。
【００５３】
そして、第一のゴム弾性体１６ａと第二のゴム弾性体１６ｂとが、図７に示された平面視に示されているように、インナ取付部材１２の軸直角方向線を挟んで対称形状とされている。また、これら第一のゴム弾性体１６ａと第二のゴム弾性体１６ｂは、何れも、略一定の断面形状で直線的に延びており、互いにゴムボリュームも略同じとされている。即ち、本実施形態では、第一のゴム弾性体１６ａと第二のゴム弾性体１６ｂの各々全長により、何れも傾斜部分が構成されている。
【００５４】
このような本実施形態のマフラーサポート５２では、インナ取付部材１２の軸方向で互いに反対向きに傾斜して対を為す反対傾斜部としての傾斜部分を有する第一及び第二のゴム弾性体１６ａ，１６ｂを、図６に示された正面視で重なるように設けたことにより、本体ゴム弾性体１６，１６の全体ゴムボリュームを確保しつつ、図６中の高さ方向の寸法を小さく設定することも可能となる。なお、これら第一及び第二のゴム弾性体１６ａ，１６ｂの弾性変形作用に基づいて、ゴム材料自体の低ばね化やゴムボリュームの減少による耐久性の低下の問題および振動入力方向のばね特性の高ばね化による防振性能の低下の問題などを伴うことなく、装着時における排気管１８側と車体２０側との各取付位置の相対的な寸法ばらつきに起因する装着作業の困難さを軽減せしめ得る等といった、第一の実施形態のマフラーサポート１０と同様な技術的効果を達成し得るものであることは、言うまでもない。
【００５５】
以上、本発明の幾つかの実施形態について詳述してきたが、これらはあくまでも例示であって、かかる実施形態における具体的な記載によって本発明が限定的に解釈されるものでない。例えば、ゴム弾性体における弾性変形に伴ってインナ取付部材１２とアウタ取付部材１４との間に及ぼされるこじり方向力が問題とならない場合等には、第一〜第四の実施形態においてゴム弾性体１６を協働して構成するゴム弾性体１６ａ，１６ｂの何れか一方だけを採用しても良い。
【００５６】
また、ゴム弾性体１６として互いに反対向きに傾斜した二つのゴム弾性体１６ａ，１６ｂを採用する場合でも、それら二つのゴム弾性体１６ａ，１６ｂにおける傾斜角度や傾斜部分の長さ，断面積，形状等を相互に異ならせることも可能である。特にインナ取付部材１２およびアウタ取付部材１４の形状等の理由により、二つのゴム弾性体１６ａ，１６ｂの全長が異なる場合には、それら二つのゴム弾性体１６ａ，１６ｂの傾斜部分の長さや断面積，形状等を積極的に異ならせて、こじり方向の相殺作用が効率的に発揮されるようにすることができる。
【００５７】
また、前記実施形態に示されている如き互いに反対向きに傾斜した傾斜部分がそれぞれ設けられた一組のゴム弾性体１６ａ，１６ｂを、二組以上設けることでゴム弾性体１６を構成すること等も可能である。
【００５８】
また、インナ取付部材１２やアウタ取付部材１４の具体的形状は、排気管や車体への取付構造等によって適宜に変更されるものであり、例えばインナ取付部材として例示の軸形状の他にブロック形状や筒形状等が採用可能であり、アウタ取付部材における一対の対向板部を相互に独立部材として構成すること等も可能である。
【符号の説明】
【００５９】
１０，４２，４４，５２：マフラーサポート、１２：インナ取付部材、１４：アウタ取付部材、１６：ゴム弾性体、１６ａ：上側ゴム弾性体（ゴム弾性体）、１６ｂ：下側ゴム弾性体（ゴム弾性体）、１８：排気管、２０：車体、３０：底板部、３２：側板部（対向板部）、５０：傾斜部分
【図１】
0005654854.tif 000002
【図２】
0005654854.tif 000003
【図３】
0005654854.tif 000004
【図４】
0005654854.tif 000005
【図５】
0005654854.tif 000006
【図６】
0005654854.tif 000007
【図７】
0005654854.tif 000008